(57)【特許請求の範囲】
【請求項１】
座部とこの座部の後部に設けた背もたれ部とを備えた椅子本体と、略Ｕ字状に形成されて人体の脚部と足とを載置できる一対の脚載部を有するとともに前記座部の前側近傍位置に上下方向に回動可能に前記椅子本体に設けられた脚載置台と、この脚載置台の一対の脚載部に配設されエアーの給排気によって膨縮する袋体と、これら袋体にエアーを供給するエアー供給手段とを備え、前記各袋体に前記エアー供給手段からのエアーを給排気してマッサージを行う椅子式エアーマッサージ機において、前記脚載部の前部に、足が前方に移動するのを規制して足を位置決めするとともに扁平状態に畳むことができる位置決め部材を設けたことを特徴とする椅子式エアーマッサージ機。
【発明の詳細な説明】
【０００１】
【発明の属する技術分野】
この発明は、袋体にコンプレッサー等からなるエアー供給手段からの圧搾空気を給排気して、前記袋体を膨縮して、人体の足等に対するマッサージを行う椅子式エアーマッサージ機に関する。
【０００２】
【従来の技術】
従来、座部とこの座部の後部に設けた背もたれ部を有し、前記座部あるいは背もたれ部にエアーの給排気により膨縮する複数の袋体を配設し、エアーコンプレッサーからなるエアー供給手段からエアーホースを介して前記袋体に圧搾空気つまりエアーを給排気して、この袋体を膨縮してマッサージを行う椅子式エアーマッサージ機は広く知られている。
【０００３】
そして、この種の椅子式エアーマッサージ機の中には、前記座部の前側近傍に位置して脚載置台が設けられたものがある。この脚載置台には一般に一対のＵ字状に形成された脚載部が設けられ、これら各脚載部の互いに対向する側壁にはエアーバッグが配設し、このエアーバッグにエアーを給排気して脚部つまりふくらはぎ部のマッサージを行うようになっている。
【０００４】
ところで、使用者はふくらはぎ部だけでなく足の甲の部分（以下足の甲部という）あるいは足の裏の部分（以下足の裏部という）等を前記脚載部に載せ、前記エアーバッグによってマッサージをする場合がある。このような足の甲部あるいは裏部のマッサージをするという使用態様の場合は、座部に座った状態で膝を折り曲げて足の裏部を前記脚載部に載せた状態で、エアーバッグを膨縮させてマッサージをするものであるが、この場合に足は膝を折り曲げた姿勢であることから常に前方に移動する力が加わっていることになり、加えてエアーバッグの膨縮時にエアーバッグの膨縮過程において足は動かされるため脚載部に沿って滑り脚載部上から外れてしまいマッサージができなくなるという事態が生じる。このため使用者は足が滑らないように膝の折り曲げ状態を維持することが必要となり、このような折り曲げ状態を維持することは脚部に余分な力を入れ続けなければならず、このように脚部に余分な力を入れた状態では、この部分が逆に疲れる等するためマッサージ効果が低減され良好なマッサージができないものである。
【０００５】
【発明が解決しようとする課題】
上記のように、従来の椅子式マッサージ機においては、足の甲部あるいは裏部のマッサージをする場合、脚載部から足が滑ってしまうことがあるという問題があり、また、脚載部から足が滑らないようにするためには、膝の折り曲げ状態を維持するために脚部に余分な力を入れ続けなければならず、その結果良好なマッサージ効果が得られないという問題があった。
【０００６】
【課題を解決するための手段】
この発明は上記事情に鑑みてなされたものであり、座部とこの座部の後部に設けた背もたれ部とを備えた椅子本体と、略Ｕ字状に形成されて人体の脚部と足とを載置できる一対の脚載部を有するとともに前記座部の前側近傍位置に上下方向に回動可能に前記椅子本体に設けられた脚載置台と、この脚載置台の一対の脚載部に配設されエアーの給排気によって膨縮する袋体と、これら袋体にエアーを供給するエアー供給手段とを備え、前記各袋体に前記エアー供給手段からのエアーを給排気してマッサージを行う椅子式エアーマッサージ機において、前記脚載部の前部に、足が前方に移動するのを規制して足を位置決めするとともに扁平状態に畳むことができる位置決め部材を設けた椅子式エアーマッサージ機としたものである。
【０００７】
そして、上記のように構成した上記発明は、足の甲部あるいは裏部のマッサージの際に、位置決め手段によって足を脚載部に安定した状態に維持させることができるものである。
【０００８】
【発明の実施の形態】
つぎに、この発明の実施の形態を図１ないし図６に基づいて説明する。
【０００９】
図１、図２において、１は椅子式エアーマッサージ機の椅子本体で、この椅子本体１はほぼ水平に設けられた座部２、この座部２の後側に配設されこの座部２に対して所定の角度傾斜して設けられた背もたれ部３および前記座部２の両側に位置して設けられた肘掛け部４とから構成されている。そして、前記座部２には気密性を有するとともに軟質部材からなり圧搾空気つまりエアーの給排気に伴い膨縮する腿用袋体６および尻用袋体７が配設されている。また、前記背もたれ部３には、背中を支持する図示しない枠部材が設けられ、この枠部材に支持されてエアーの給排気に伴い膨縮する腰用袋体８、背筋用袋体９、背中用袋体１０および首・肩用袋体１１が配設されている。なお、前記首・肩用袋体１１は前記枠部材に長手方向を縦方向にして形成された長溝状の案内孔１２内に図示しないばね等により枠部材に圧接されつつ摺動可能にかつ任意位置に位置決め可能にして設けられている。また、前記袋体６ないし１０は図示しない内袋に収納し、この内袋を前記座部２および背もたれ部３に配置して設けられ、この内袋は布等のカバー３ａ覆われている。
【００１０】
また、前記椅子本体１の両肘掛け部４内には一対の支持枠１３（図１では一方のみ図示）が設けられており、この両支持枠１３には支持板１４がねじ１４ａによって取り付けられ、前記両支持枠１３と支持板１４とは一体化されており、前記座部２は前記支持枠１３、１３の上部に位置決めされて載置されている。そして、前記支持板１４にエアー供給装置としてのエアーコンプレッサー３０が前記座部２の下に位置して取り付けられている。このエアーコンプレッサー３０には図示しないロータリー弁等からなる従来周知のエアー分配器３１が設けられており、このエアー分配器３１を介してエアーコンプレッサー３０と前記各袋体６ないし１１とは図２に示すようにエアー給排気路としてのエアーホース６ａないし１１ａによって接続されている。
【００１１】
また、前記椅子本体１には座部２の前方に位置して脚載置台４０が設けられている。この脚載置台４０は図１および図２に示すように椅子本体１の肘掛け部４内に設けられた前記両支持枠１３の前部上方の角部に設けた軸受部１３ａとこの軸受部１３ａに取り付けられた図しない押え板とによって回動可能に取り付けられた回動軸４０ａによって上下方向に回動自在に取り付けられている。また、この脚載置台４０は図１に示すように両側に設けた側壁４１ａ、４１ｂおよびこの両側壁４１ａ、４１ｂの間に位置して設けた中央壁４１ｃとによって形成された一対の略Ｕ字状の脚載部４２ａ、４２ｂが形成されている。また、これら脚載部の互いに対向する両側壁つまり側壁４１ａとこの側壁４１ａと対向する中央壁４１ｃおよび側壁４１ｂとこの側壁４１ｂと対向する中央壁４１ｃにはそれぞれエアーの給排気により膨縮する脚用袋体４３ａ、４４ａおよび４３ｂ、４４ｂが配設されている。そして、図５に示すようにこれら袋体４３ａないし４４ｂにはそれぞれエアーホース４６ａないし４６ｄが接続され、これらエアーホース４６ａないし４６ｄは一本のエアーホース４６に接続され、このエアーホース４６の他端側は前記エアー分配器３１に接続されている。
【００１２】
また、前記脚載置台４０の脚載部４２ａおよび４２ｂのそれぞれの前部には、足先を挿入して、脚載部４２ａ、４２ｂに足を載せた際に足が脚載部４２ａ、４２ｂ上を滑って前方に移動するのを規制して足を位置決めする位置決め手段としての位置決め部材４５が設けられている。そして、この位置決め部材４５は図３に示すように脚載部４２ａ、４２ｂの脚載面に縫製等により取り付けられ、後側つまり前記座部２側を開口した袋状に形成されるとともに中央部にタック４５ａ、４５ａが形成されている。このタック４５ａ、４５ａによって常時つまり足先部が挿入されない場合は前記脚載部４２ａ、４２ｂの脚載面をなす底面と略同一面となるように折り畳まれており、前記開口から足先部を挿入したときは図４に示すように前記タックは伸びて足先部が楽に挿入できるようになっている。
【００１３】
なお、上述したように前記位置決め部材４５はタック４５ａ、４５ａを形成することにより常時は脚載部４５に偏平状態にして折り畳まれていることから脚部（ふくらはぎ部）を脚載部４５に載置するときに邪魔にならないようになっているものである。
【００１４】
つぎに、前記支持枠１３には電動機５０が取付枠５５を介して図示しない取付ねじによって取り付けられている。そして、この電動機５０によって図示しない作動杆が作動され、この作動杆によって前記脚載置台４０は前記回動軸４０ａを回動中心として上下方向に回動するようになっている。
【００１５】
また、図１に示すように椅子本体１の一方の肘掛け部４の下方にはリード線３６ａが接続されたリモートコントロール装置３６が収納部３７内に取り出し自在に収納されている。
【００１６】
なお、前記電動機５０は前記リモートコントロール装置３６によって制御される後述する制御手段３５によって制御されるようになっており、したがって、前記リモートコントロール装置３６を操作すことにより脚載置台４０を上下方向に回動させることができる。
【００１７】
つぎに、上記椅子式エアーマッサージ機の制御について図５に示す制御ブロック図に基づいて説明する。
【００１８】
図５に示すように前記エアーコンプレッサー３０にはエアー分配器３１がエアーホース３１ａを介して接続され、このエアー分配器３１は上述したようにエアーホース６ａないし１１ａを介して腿用袋体６ないし首・肩用袋体１０に接続され、また、エアーホース４６およびこのエアーホース４６から分岐されたエアーホース４６ａないし４６ｄを介して脚用袋体４３ａないし４４ｂに接続されている。そして、前記エアーコンプレッサー３０およびエアー分配器３１はマイクロコンピューターを含む制御手段３５によって制御されるようになっている。この制御手段３５はまた前記電動機５０を制御し前記脚載置台４０を上下方向に回動させるようになっている。また、前記制御手段３５はリモートコントロール装置３６によって制御されるようになっている。
【００１９】
そして、使用者はリモートコントロール装置３６によって種々のマッサージモードの中から所望のモードを選択してマッサージを行うものである。このマッサージモードとしては例えば所定の順序と時間にしたがって各袋体６ないし１１および４３ａないし４４ｂを膨縮させて全身または上半身、下半身および脚部をマッサージするコースモード、また、首・肩、腰あるいは脚等の各部を部分的にマッサージをするポイントモード等従来の各種マッサージモードを備えている。
【００２０】
つぎに、上記のように構成した椅子式エアーマッサージ機の動作について説明する。
【００２１】
まず、使用者は使用に当たって、上述したように背もたれ部３に背中を当てながら座部２に座り、また、脚載置台４０の脚載部４２ａ、４２ｂに脚部つまりふくらはぎ部を載せた後前記リモートコントロール装置３６を操作して、前記種々のマッサージモードの中から所望のマッサージモードを選択して設定し、ついでリモートコントロール装置３６を操作して動作開始信号を入力する。そうすると選択されたマッサージモードが実行されて所望のマッサージがなされる。
【００２２】
そして、使用者が足の甲部等のマッサージを所望するときは、図６に二点鎖線で示すように座部２に座った状態で脚を折り曲げて足の先端部を前記位置決め部材４５の開口から挿入する。この状態で足は位置決め部材４５によって前方への動きが規制され位置決めされる。そして、前記脚用袋体４３ａないし４４ｂにエアー分配器３１を介してエアーコンプレッサー３０からのエアーの給排気をして膨縮させる。すると前記脚用袋体４３ａと４４ａおよび４３ｂと４４ｂとによって脚載部４２ａ、４２ｂに載せられた足の甲部は押圧、弛緩が繰り返されてマッサージがなされる（図４には足用袋体４４ａが膨脹し足の甲部を押圧している状態を二点鎖線で示してある）。そして、このマッサージの際に足は、その先端部を前記位置決め部材４５によって位置決めされていることから、脚載部４２ａ、４２ｂ上を滑ってこの脚載部４２ａ、４２ｂから外れることはなく、また、マッサージ中に膨縮する脚用袋体４３ａないし４４ｂによって足が動かされることがあったとしても、足は脚載部４２ａ、４２ｂ上を滑って外れることはない。
【００２３】
したがって、安定した状態でマッサージができる。また、マッサージ中に脚を折り曲げ状態に維持するための余分な力をいれる必要がなく、リラックスした状態つまり足が脚載部４２ａ、４２ｂ上を滑らないように注意力を払うことがない状態でマッサージをすることができることから、よりよいマッサージ効果が得られるものである。
【００２４】
なお、上記実施の形態においては、位置決め部材４５を袋状に形成したが、これは図７に示すように、布等からなる帯状部材を足先部が挿入できるようにリング部１４５ａを形成して位置決め部材１４５を構成するとともに、この位置決め部材１４５の一部を前記中央壁４１ｃの両側壁に縫製等により取り付けるようにしてもよい。このように形成した場合は、前記リング部１４５ａ内での足先部を自由に回動させることができることに加えて、中央壁４１の側壁に取り付けられていることから、足の裏部をマッサージする場合は図８に示すように足の裏部を前記中央壁４１ｃ側壁に対向させて位置決めすることが容易にできることから、足の裏部のマッサージが確実にかつ効果的にできるという利点がある。
【００２６】
【発明の効果】
この発明は上記のように構成したので、足の甲部あるいは裏部のマッサージの際に、位置決め手段によって足を脚載部に安定した状態に維持させることができるため、足の甲部あるいは裏部のマッサージを効果的になすことができるという効果を奏することができるものである。
【図面の簡単な説明】
【図１】本発明の実施の形態を示す椅子式エアーマッサージ機の全体斜視図。
【図２】上記実施の形態の椅子式マッサージ機の一部を断面した側面図。
【図３】上記実施の形態の位置決め手段を示す斜視図。
【図４】上記実施の形態の位置決め手段に足先部を挿入した状態を示す斜視図。
【図５】上記実施の形態の制御ブロック図。
【図６】上記実施の形態の足甲部をマッサージする場合の説明図。
【図７】上記実施の形態における位置決め手段の他の実施の形態を示す斜視図。
【図８】上記位置決め手段に足先部を挿入した状態を示す斜視図。
【符号の説明】
１        椅子本体
２        座部
３        背もたれ部
６〜１１    袋体
３０      エアーコンプレッサー（エアー供給手段）
３１      エアー分配器
３５      制御手段
４０      脚載置台
４２ａ、４２ｂ    脚載部
４３ａ、４３ｂ、４４ａ、４４ｂ    脚用袋体
４５      位置決め部材（位置決め手段）
【図１】
0003605448.tif 000002
【図２】
0003605448.tif 000003
【図３】
0003605448.tif 000004
【図４】
0003605448.tif 000005
【図５】
0003605448.tif 000006
【図６】
0003605448.tif 000007
【図７】
0003605448.tif 000008
【図８】
0003605448.tif 000009